(57)【要約】【課題】回折光学素子の作製を容易にしつつ、可視から近赤外における良好な倍率色収差補正を達成できる撮像光学系を提供すること。【解決手段】物体側から順に正の屈折力有したレンズ群、開口絞り、正の屈折力有したレンズ群からなり、開口絞りより像側に回折光学素子備え、絞りより物体側に少なくとも１つの接合レンズ有し、該接合面は像側に凹面を向け、以下の条件式を満足することを特徴とする。３０＜ｆｄｏｅ／ｆ＜８０・・・（１）１．０＜（ｒ２＋ｒ１）／（ｒ２−ｒ１）＜１．８・・・（２）４．０＜ｖ２−ｖ１＜１５．０・・・（３）但し、ｆｄｏｅは回折光学素子の焦点距離、ｆは全系の焦点距離、ｒ１は前記接合レンズ接合面の曲率半径、ｒ２は前記接合レンズ像側の曲率半径、ｖ１は前記接合レンズ物体側レンズのアッベ数、ｖ２は前記接合レンズ像側レンズのアッベ数を表す。【選択図】図１
2016102851.tif 000002
【特許請求の範囲】
【請求項１】
物体側から順に正の屈折力有したレンズ群、開口絞り、正の屈折力有したレンズ群からなり、
開口絞りより像側に回折光学素子備え、
絞りより物体側に少なくとも１つの接合レンズ有し、該接合面は像側に凹面を向け、
以下の条件式を満足することを特徴とする撮像光学系。
３０＜ｆｄｏｅ／ｆ＜８０                      ・・・（１）
１．０＜（ｒ２＋ｒ１）／（ｒ２−ｒ１）＜１．８・・・（２）
４．０＜ｖ２−ｖ１＜１５．０                  ・・・（３）
但し、ｆｄｏｅは回折光学素子の焦点距離、ｆは全系の焦点距離、ｒ１は前記接合レンズ接合面の曲率半径、ｒ２は前記接合レンズ像側の曲率半径、ｖ１は前記接合レンズ物体側レンズのアッベ数、ｖ２は前記接合レンズ像側レンズのアッベ数を表す。
【請求項２】
前記接合レンズに関して、以下の条件式を満足する請求項１に記載の撮像光学系。
０．０＜｜ｎ１−ｎ２｜＜０．１５              ・・・（４）
但し、ｎ１は前記接合レンズ物体側レンズの屈折率、ｎ２は前記接合レンズ像側レンズの屈折率を表す。
【請求項３】
前記撮像光学系が有する負レンズのうち、最も物体側の負レンズは非球面を有することを特徴とする請求項１又は請求項２に記載の撮像光学系。
【請求項４】
前記接合レンズに関して、以下の条件式を満足する請求項１乃至請求項３の何れか一項に記載の撮像光学系。
−２．５＜（ｒ２＋ｒ１）／（ｒ２−ｒ１）＜−０．２・・・（５）
但し、ｒ１は前記接合レンズ物体側の曲率半径、ｒ２は前記接合レンズ接合面の曲率半径を表す。
【請求項５】
前記撮像光学系に関して、前記回折光学素子は、接合レンズの接合面に配し、該接合レンズは非球面を有することを特徴とする請求項１乃至請求項４の何れか一項に記載の撮像光学系。
【発明の詳細な説明】
【技術分野】
【０００１】
本発明は、可視域から近赤外域に用いられる撮像光学系の倍率色収差補正に関するもので、特に監視光学系に好適なものである。
【背景技術】
【０００２】
ビデオカメラや監視カメラにおいては、通常、可視光の波長領域で撮影が行われる。このとき、撮影光学系と撮像素子の間に赤外カットフィルタやレンズに赤外反射特性を持つコーティングを設けて、赤外光を遮断することで、撮影される映像が赤外光の影響を受けない様にしている。
【０００３】
一方、これとは別の環境下での撮影として、特に監視カメラにおいては、夜間等、暗い状況での撮影が求められる。その際には高感度で撮影することが重要であり、可視光から近赤外光まで取り込むことで、近赤外のみ取り込むよりも光量を確保することができる。そのため、夜間の高感度撮影に利用される撮像光学系には、可視光から近赤外光まで色収差が良好に補正された光学系が求められる。
【０００４】
そこで、色収差を良好に補正し高画質化を図る方法として、回折光学素子を利用することが挙げられる。特許文献１、２には、上記のような、回折光学素子を利用して色収差を補正した例が開示されている。
【先行技術文献】
【特許文献】
【０００５】
【特許文献１】特開平１１−３１１７４３号公報
【特許文献２】特開２００４−２１２６４０号公報
【発明の概要】
【発明が解決しようとする課題】
【０００６】
特に監視カメラにおいては、広角レンズが用いられることも多く、光学系がレトロタイプになる。そこで課題となるのは、可視から近赤外までの各波長における倍率色収差量の高像高での変化量が大きくなることである。なお、各波長における倍率色収差量の高像高での変化を本明細書では倍率色収差の曲がりと表現する。
【０００７】
そこで、回折光学素子の格子ピッチを細かくして近赤外までの倍率色収差の曲がりへの補正効果を強めると、良好に補正できるが格子ピッチが細かくなり、回折光学素子の作製が困難になる。
【０００８】
特許文献１に開示された従来技術では、最も大きな変倍作用を担当する負レンズ群の像側に位置する正レンズ群に回折光学素子を有した例が開示されている。しかしながら、開口絞りより物体側の接合レンズの屈折率差が大きく、可視から近赤外における倍率色収差の曲がりの補正への寄与が相対的に小さく、良好に補正できない。
【０００９】
また、特許文献２に開示された従来技術では、物体側から順に正、負、負、正、正のレンズ群で構成され、いずれかの群に回折光学素子を有した例が開示されている。しかしながら、開口絞りより物体側の接合レンズ接合面の曲率が緩いので、高像高に比べ、像高が低い領域の倍率色変動量が相対的に大きくなり、高像高での倍率色収差の曲がりを良好に補正できない。
【００１０】
いずれの特許文献についても、可視から近赤外における高像高での倍率色収差の曲がりを補正する工夫に言及した内容についてまでは触れられていない。そこで、可視から近赤外における良好な倍率色収差補正、特に高像高での倍率色収差の曲がりを良好に補正するためには、光学系の構成および条件を工夫することが重要である。
【００１１】
本発明の目的は、回折光学素子の作製を容易にしつつ、可視から近赤外における良好な倍率色収差補正を達成できる撮像光学系を提供することにある。
【課題を解決するための手段】
【００１２】
上記の目的を達成するために、本発明の撮像光学系は、
物体側から順に正の屈折力有したレンズ群、開口絞り、正の屈折力有したレンズ群からなり、
開口絞りより像側に回折光学素子備え、
絞りより物体側に少なくとも１つの接合レンズ有し、該接合面は像側に凹面を向け、以下の条件式を満足することを特徴とする。
３０＜ｆｄｏｅ／ｆ＜８０                      ・・・（１）
１．０＜（ｒ２＋ｒ１）／（ｒ２−ｒ１）＜１．８・・・（２）
４．０＜ｖ２−ｖ１＜１５．０                  ・・・（３）
但し、ｆｄｏｅは回折光学素子の焦点距離、ｆは全系の焦点距離、ｒ１は前記接合レンズ接合面の曲率半径、ｒ２は前記接合レンズ像側の曲率半径、ｖ１は前記接合レンズ物体側レンズのアッベ数、ｖ２は前記接合レンズ像側レンズのアッベ数を表す。
【発明の効果】
【００１３】
本発明によれば、回折光学素子の作製を容易にしつつ、可視から近赤外における良好な倍率色収差補正を達成できる撮像光学系の提供を実現できる。
【図面の簡単な説明】
【００１４】
【図１】本発明の実施形態１のレンズ断面図
【図２】本発明の実施形態２のレンズ断面図
【図３】本発明の実施形態３のレンズ断面図
【図４】本発明の実施形態１における収差図
【図５】本発明の実施形態２における収差図
【図６】本発明の実施形態３における収差図
【発明を実施するための形態】
【００１５】
以下、本発明を実施するための形態を図面に基づいて説明する。
【００１６】
本発明の目的を達成するための構成は、物体側から順に正の屈折力有したレンズ群、開口絞り、正の屈折力有したレンズ群からなる構成にすることで、絞りに対して対称性の良い配置となり倍率色収差を補正できる。さらに、開口絞りより像側に回折光学素子備えることで、特にレトロタイプにおける近赤外光の軸上色収差と倍率色収差の補正不足を補正することができる。さらに、絞りより物体側に少なくとも１つの接合レンズ有し、該接合面は像側に凹面を向けることで、倍率色収差を調整する接合面とすることができる。
さらに、以下の条件式を満足することを特徴とする。
【００１７】
３０＜ｆｄｏｅ／ｆ＜８０                      ・・・（１）
１．０＜（ｒ２＋ｒ１）／（ｒ２−ｒ１）＜１．８・・・（２）
４．０＜ｖ２−ｖ１＜１５．０                  ・・・（３）
但し、ｆｄｏｅは回折光学素子の焦点距離、ｆは全系の焦点距離、ｒ１は前記接合レンズ接合面の曲率半径、ｒ２は前記接合レンズ像側の曲率半径、ｖ１は前記接合レンズ物体側レンズのアッベ数、ｖ２は前記接合レンズ像側レンズのアッベ数を表す。
【００１８】
条件式（１）は、回折光学素子の焦点距離を規定するものであり、下限を超えると回折光学素子の焦点距離が短くなりすぎ、ピッチが細かくなるので作製が困難となる。逆に上限を超えると回折光学素子の焦点距離が長すぎ、ピッチが大きすぎるので、可視から近赤外までの倍率色収差が補正不足になる。
【００１９】
さらに望ましくは、以下の条件式（１ａ）範囲とすることで、より回折光学素子の作製を容易にしつつ、可視から近赤外における良好な倍率色収差補正を達成できるものである。
【００２０】
３５＜ｆｄｏｅ／ｆ＜８０                          ・・・（１ａ）
さらに望ましくは、以下の条件式（１ａ）範囲とすることで、より回折光学素子の作製を容易にしつつ、可視から近赤外における良好な倍率色収差補正を達成できるものである。
【００２１】
４０＜ｆｄｏｅ／ｆ＜８０                          ・・・（１ｂ）
条件式（２）は、接合レンズの接合面と像側の面による形状因子を規定するものであり、下限を超えると接合面の曲率が強くなりすぎ、高像高における倍率色収差変動量が大きくなりすぎ、高像高での倍率色収差の曲がりを良好に補正できない。逆に上限を超えると接合面の曲率が緩いので、高像高に比べ、像高が低い領域の倍率色変動量が相対的に大きくなり、高像高での倍率色収差の曲がりを良好に補正できない。
【００２２】
さらに望ましくは、以下の条件式（１ａ）範囲とすることで、より回折光学素子の作製を容易にしつつ、可視から近赤外における良好な倍率色収差補正を達成できるものである。
【００２３】
１．１５＜（ｒ２＋ｒ１）／（ｒ２−ｒ１）＜１．７８・・・（２ａ）
さらに望ましくは、以下の条件式（１ａ）範囲とすることで、より回折光学素子の作製を容易にしつつ、可視から近赤外における良好な倍率色収差補正を達成できるものである。
【００２４】
１．２５＜（ｒ２＋ｒ１）／（ｒ２−ｒ１）＜１．７５・・・（２ｂ）
条件式（３）は、接合レンズ物体側レンズのアッベ数と像側レンズのアッベ数の差を規定するものであり、下限を超えると接合面による倍率色収差補正の効果が弱くなりすぎ、高像高における可視から近赤外までの倍率色収差の曲がりを良好に補正できない。逆に上限を超えると接合面による倍率色収差補正の効果が強くなりすぎ、高像高における可視から近赤外までの倍率色収差の曲がりを良好に補正できない。
【００２５】
さらに望ましくは、以下の条件式（３ａ）範囲とすることで、より回折光学素子の作製を容易にしつつ、可視から近赤外における良好な倍率色収差補正を達成できるものである。
【００２６】
４．５＜ｖ２−ｖ１＜１３．０                      ・・・（３ａ）
さらに望ましくは、以下の条件式（３ｂ）範囲とすることで、より回折光学素子の作製を容易にしつつ、可視から近赤外における良好な倍率色収差補正を達成できるものである。
【００２７】
５．０＜ｖ２−ｖ１＜１２．０                      ・・・（３ｂ）
以上の構成により、回折光学素子の作製を容易にしつつ、可視から近赤外における良好な倍率色収差補正を達成することができる。
【００２８】
前記撮像光学系に関して、以下の条件式を満足することを特徴としている。
【００２９】
０．０＜｜ｎ１−ｎ２｜＜０．１５                  ・・・（４）
但し、ｎ１は前記接合レンズ物体側レンズの屈折率  、ｎ２は前記接合レンズ像側レンズの屈折率を表す。
【００３０】
条件式（４）は、接合レンズ物体側レンズの屈折率と像側レンズの屈折率の差を規定するものであり、倍率色収差以外の収差変動を抑えつつ、倍率色収差の曲がりを補正することができる。上限を超えると接合面による収差変動が倍率色収差以外にも大きく影響し、可視から近赤外までの倍率色収差の曲がりのみを良好に補正できない。
【００３１】
さらに望ましくは、以下の条件式（４ａ）範囲とすることで、より回折光学素子の作製を容易にしつつ、可視から近赤外における良好な倍率色収差補正を達成できるものである。
【００３２】
０．０＜｜ｎ１−ｎ２｜＜０．１３                  ・・・（４ａ）
さらに望ましくは、以下の条件式（４ｂ）範囲とすることで、より回折光学素子の作製を容易にしつつ、可視から近赤外における良好な倍率色収差補正を達成できるものである。
【００３３】
０．０＜｜ｎ１−ｎ２｜＜０．１２                  ・・・（４ｂ）
前記撮像光学系に関して、以下の構成を満足することを特徴としている。前記撮像光学系が有する負レンズのうち、最も物体側の負レンズは非球面を有することにより、高像高での面形状を変化させることができ、可視から近赤外までの倍率色収差の曲がりを良好に補正できる。
【００３４】
前記撮像光学系に関して、以下の条件式を満足することを特徴としている。
【００３５】
−２．５＜（ｒ２＋ｒ１）／（ｒ２−ｒ１）＜−０．２・・・（５）
但し、ｒ１は前記接合レンズ物体側の曲率半径、ｒ２は前記接合レンズ接合面の曲率半径を表す。
【００３６】
条件式（５）は、接合レンズ像側のレンズの曲率と接合面の曲率による形状因子を規定するものであり、下限を超えると物体側曲率が強く、該物体側面での倍率色収差への寄与が大きくなり、高像高における可視から近赤外までの倍率色の曲がりを良好に補正できない。上限を超えると物体側曲率が弱く、該物体側面での倍率色収差への寄与が少なくなり、高像高における可視から近赤外までの倍率色の曲がりを良好に補正できない。
【００３７】
さらに望ましくは、以下の条件式（５ａ）範囲とすることで、より回折光学素子の作製を容易にしつつ、可視から近赤外における良好な倍率色収差補正を達成できるものである。
【００３８】
−２．０＜（ｒ２＋ｒ１）／（ｒ２−ｒ１）＜−０．４・・・（５ａ）
さらに望ましくは、以下の条件式（５ｂ）範囲とすることで、より回折光学素子の作製を容易にしつつ、可視から近赤外における良好な倍率色収差補正を達成できるものである。
【００３９】
−１．８＜（ｒ２＋ｒ１）／（ｒ２−ｒ１）＜−０．６・・・（５ｂ）
前記撮像光学系に関して、以下の構成を満足することを特徴としている。前記回折光学素子は、接合レンズの接合面に配し、該接合レンズは非球面を有することにより、高像高での面形状を変化させることができ、可視から近赤外までの倍率色収差の曲がりを良好に補正できる。
【００４０】
次に各実施形態の撮像光学系について説明する。各実施形態のレンズ断面図において、ＳＰは開口絞り、ＩＰは像面でありＣＣＤ等の素子が配置される。
【実施例１】
【００４１】
以下、図１を参照して、本発明の第１の実施形態による撮像光学系について説明する。実施形態１の撮像光学系は、物体側より順に、正の屈折力のレンズ群、開口絞り、正の屈折力のレンズ群から構成されている。
【００４２】
本実施例では、回折光学素子ＤＯＥと全系の焦点距離の比を７８．８９（条件式（１））として、近赤外における倍率色収差を補正しつつ、且つ作製容易な範囲としている。また、開口絞りＳＰより物体側に位置する接合レンズの接合面ｃｅｍと像側面による形状因子を１．７６（条件式（２））且つ、接合レンズの物体側レンズと像側レンズのアッベ数差を５．２４（条件式（３））とすることで、可視から近赤外における倍率色収差の曲がりを良好に補正している。これらによって、回折光学素子の作製を容易にしつつ、可視から近赤外における良好な倍率色収差補正を達成している。
【００４３】
さらに、最も物体側の負レンズが非球面を有することで、高像高での面形状を変化させ、可視から近赤外における倍率色収差の曲がりを良好に補正している。
【００４４】
さらに、接合レンズ物体側レンズの屈折率と像側レンズの屈折率の差を規定した条件式（４）としては、０．００１９として、倍率色収差の曲がりへの補正効果をその他の収差に比べて相対的に強め、可視から近赤外における倍率色収差の曲がりを良好に補正している。
【００４５】
さらに、接合レンズ像側のレンズの曲率と接合面ｃｅｍの曲率による形状因子を規定した条件式（５）としては、−０．７０として相対的に接合レンズ物体側面の曲率を緩め、可視から近赤外における倍率色収差が物体側面で発生しないようにしている。
【００４６】
さらに、回折光学素子ＤＯＥを接合レンズの接合面ｃｅｍに配し、該接合レンズｃｅｍは非球面を有することで、可視から近赤外における倍率色収差の曲がりを良好に補正している。
【実施例２】
【００４７】
以下、図２を参照して、本発明の第２の実施形態による撮像光学系について説明する。実施形態２の撮像光学系は、物体側より順に、正の屈折力のレンズ群、開口絞り、正の屈折力のレンズ群から構成されている。本実施例では、回折光学素子ＤＯＥと全系の焦点距離の比を４７．３３（条件式（１））として、近赤外における倍率色収差を補正しつつ、且つ作製容易な範囲としている。また、開口絞りＳＰより物体側に位置する接合レンズの接合面ｃｅｍと像側面による形状因子を１．４５（条件式（２））且つ、接合レンズの物体側レンズと像側レンズのアッベ数差を１１．３１（条件式（３））とすることで、可視から近赤外における倍率色収差の曲がりを良好に補正している。
これらによって、回折光学素子の作製を容易にしつつ、可視から近赤外における良好な倍率色収差補正を達成している。
【００４８】
さらに、接合レンズ物体側レンズの屈折率と像側レンズの屈折率の差を規定した条件式（４）としては、０．００９として、倍率色収差の曲がりへの補正効果をその他の収差に比べて相対的に強め、可視から近赤外における倍率色収差の曲がりを良好に補正している。さらに、接合レンズ像側のレンズの曲率と接合面ｃｅｍの曲率による形状因子を規定した条件式（５）としては、−１．３９として相対的に接合レンズ物体側面の曲率を緩め、可視から近赤外における倍率色収差が物体側面で発生しないようにしている。
【００４９】
その他の点は、実施例１と同様なので詳細説明は割愛する。
【実施例３】
【００５０】
以下、図３を参照して、本発明の第３の実施形態による撮像光学系について説明する。実施形態３の撮像光学系は、物体側より順に、正の屈折力のレンズ群、開口絞り、正の屈折力のレンズ群から構成されている。本実施例では、回折光学素子ＤＯＥと全系の焦点距離の比を４３．６８（条件式（１））として、近赤外における倍率色収差を補正しつつ、且つ作製容易な範囲としている。また、開口絞りＳＰより物体側に位置する接合レンズの接合面ｃｅｍと像側面による形状因子を１．４６（条件式（２））且つ、接合レンズの物体側レンズと像側レンズのアッベ数差を１０．０（条件式（３））とすることで、可視から近赤外における倍率色収差の曲がりを良好に補正している。これらによって、回折光学素子の作製を容易にしつつ、可視から近赤外における良好な倍率色収差補正を達成している。
【００５１】
さらに、接合レンズ物体側レンズの屈折率と像側レンズの屈折率の差を規定した条件式（４）としては、０．１１３として、倍率色収差の曲がりへの補正効果をその他の収差に比べて相対的に強め、可視から近赤外における倍率色収差の曲がりを良好に補正している。さらに、接合レンズ像側のレンズの曲率と接合面ｃｅｍの曲率による形状因子を規定した条件式（５）としては、−１．７１として相対的に接合レンズ物体側面の曲率を緩め、可視から近赤外における倍率色収差が物体側面で発生しないようにしている。
【００５２】
その他の点は、実施例１と同様なので詳細説明は割愛する。
【００５３】
以上、本発明の好ましい実施形態について説明したが、本発明はこれらの実施形態に限定されず、その要旨の範囲内で種々の変形及び変更が可能である。
【００５４】
なお、受光面上に形成された光学像を電気信号に変換する撮像素子を備えた撮像装置と組み合わせた場合などには歪曲収差量によっては電気的な補正を加えても良い。
【００５５】
次に、各実施形態におけるデータを以下に示す。ｉは物体面からの面の順序を示し、ｒｉはレンズ面の曲率半径、ｄｉは第ｉ面と第ｉ＋１面との間のレンズ肉厚および空気間隔、ｎｉ，ｖｉはそれぞれｄ線に対する屈折率およびアッベ数を表す。
【００５６】
また、非球面に記載されている、ｋ，Ａ，Ｂ，Ｃ，Ｄ，Ｅなどは非球面係数である。非球面形状は光軸からの高さｈの位置での光軸方向の変位を、面頂点を基準にしてｘとするとき以下の式で定義される。
ｘ＝（ｈ２／Ｒ）／［１＋｛１−（１＋ｋ）（ｈ／Ｒ）２｝１／２］
＋Ａｈ４＋Ｂｈ６＋Ｃｈ８＋Ｄｈ１０＋Ｅｈ１２
ただし、ここでＲは曲率半径である。
【００５７】
また、回折光学素子の形状は、その２ｉ次項の位相係数をＣ２ｉとした時、光軸からの距離Ｈにおける位相φ（Ｈ）は次式で表される。ただしｍは回折次数、λ０は基準波長である。
【００５８】
【数１】
2016102851.tif 000003
【００５９】
（数値実施例１）
単位 mm
面データ
面番号       r        d      nd         vd
1        365.976    7.30   1.80400    46.6           
2        841.495    0.10                             
3*       216.131    4.30   1.49700    81.5           
4         21.641   25.71                             
5        -81.503    2.00   1.51633    58.9           
6         14.278   15.00   1.51823    64.1           
7         52.001   26.10                             
8*        23.601    5.39   1.83400    37.2           
9        -50.095    1.22   1.73310    48.9           
10         13.587    0.50                             
11         13.591    7.14   1.49700    81.5           
12        -46.436    2.49                             
13(絞り)    ∞       3.03                             
14*      -552.403    1.31   1.83481    42.7           
15        -47.138    0.45                             
16*        27.526    1.01   1.58267    46.4           
17          7.571    7.86   1.49700    81.5           
18*       -20.070    0.59                             
19        -20.007    2.04   1.85026    32.3           
20        112.511    5.48                             
21        -10.491    1.50   1.80518    25.4           
22*       -11.937    3.20                             
23       -120.000    5.13   1.90200    25.1           
24(回折)  -33.337    5.01   1.92286    18.9           
25*       -58.789  (可変)                             
像面        ∞   
非球面データ
第3面
K = 0.00000e+000  A 4= 5.59964e-006  A 6=-3.08064e-009  A 8= 1.78849e-012  A10=-3.47723e-016  
第8面
K = 0.00000e+000  A 4=-1.46016e-005  A 6=-2.03299e-008  A 8= 1.35802e-011  
第14面
K = 0.00000e+000  A 4=-1.10623e-004  A 6= 1.40490e-006  A 8=-1.10282e-008  
第16面
K = 0.00000e+000  A 4= 2.11157e-004  A 6=-1.66926e-006  A 8= 1.65669e-008  
第18面
K = 0.00000e+000  A 4= 2.39335e-005  A 6=-4.29062e-007  A 8= 6.53545e-009  
第22面
K = 0.00000e+000  A 4= 7.18173e-005  A 6= 4.38675e-007  A 8= 1.95453e-009  
第24面(回折面)
A 2=-4.22549e-004  A 4= 7.70017e-007  A 6= 1.57170e-010  
第25面
K = 0.00000e+000  A 4=-2.31049e-005  A 6= 1.83445e-009  
各種データ
ズーム比      1.00 
焦点距離      15.00  
Fナンバー      2.80  
画角          48.58  
像高          17.00  
レンズ全長   143.31  
（数値実施例２）
単位 mm
面データ
面番号       r        d      nd         vd
1        148.778    2.00   1.56883    56.0           
2*        23.801    7.05                             
3        519.146    3.00   1.72000    43.9           
4       -134.690    3.05                             
5        115.000    2.50   1.83501    43.1           
6        440.896    1.50                             
7        108.033    2.74   1.48749    70.2           
8         17.800    3.71   1.49700    81.5           
9         96.693    1.12                             
10*        23.581    4.24   1.91100    35.2           
11        -48.481    1.46   1.72022    29.3           
12         22.345    2.51                             
13(絞り)    ∞       4.09                             
14        128.988    2.35   1.88202    37.2           
15       -128.988    3.57                             
16        -13.421    1.73   1.68894    31.3           
17(回折) -126.730    4.32   1.75398    52.4           
18        -18.272    0.73                             
19*       -48.741    3.63   1.52500    70.4           
20        -21.177    29.99                             
像面        ∞   
非球面データ
第2面
K = 0.00000e+000  A 4=-3.39621e-007  A 6= 9.10352e-010  A 8=-3.73208e-012  
第10面
K = 0.00000e+000  A 4= 7.59080e-007  A 6= 2.37003e-008  A 8=-6.78277e-011  
第17面(回折面)
A 2=-3.37426e-004  A 4= 1.25666e-006  A 6=-6.64204e-009  
第19面
K = 0.00000e+000  A 4=-2.57131e-005  A 6= 1.72445e-008  A 8=-4.31271e-010  A10= 1.00650e-012  
各種データ
ズーム比      1.00 
焦点距離      31.35  
Fナンバー      2.86  
画角          34.61  
像高          21.64  
レンズ全長    85.29  
BF            29.99  
（数値実施例３）
単位 mm
面データ
面番号       r        d      nd         vd
1        139.920    2.00   1.61664    43.9           
2*        23.930    8.90                             
3        814.879    3.00   1.73561    27.9           
4       -107.537  (可変)                             
5        115.000    2.50   1.90054    30.0           
6        289.425    1.50                             
7         67.936    2.02   1.61000    60.0           
8         17.800    3.74   1.49700    70.0           
9         96.693    1.98                             
10*        23.774    3.64   1.91100    35.2           
11        -31.966    0.92   1.72022    29.3           
12         22.911    3.93                             
13(絞り)    ∞     (可変)                             
14        127.272    2.16   1.88202    37.2           
15       -127.272  (可変)                             
16        -14.593    1.27   1.71880    30.5           
17         50.670    4.95   1.74118    44.1           
18        -16.288    0.92                             
19*       -60.995    2.81   1.49870    79.6           
20(回折)  -18.752    3.00   1.48000    80.0           
21        -35.609  (可変)                             
像面        ∞   
非球面データ
第2面
K = 0.00000e+000  A 4=-3.15133e-007  A 6=-2.07573e-009  A 8= 1.61465e-013  
第10面
K = 0.00000e+000  A 4=-1.94825e-006  A 6= 1.96119e-008  A 8=-1.63634e-010  
第19面
K = 0.00000e+000  A 4=-2.52173e-005  A 6= 4.71692e-009  A 8=-5.31562e-010  A10= 1.03695e-012  
第20面(回折面)
A 2=-3.06673e-004  A 4= 1.42556e-006  A 6=-4.81929e-009  
各種データ
ズーム比      1.00 
焦点距離      31.22  
Fナンバー      2.86  
画角          34.73  
像高          21.64  
レンズ全長    90.48  
以下に各数値実施例の条件式の値を示す。
【００６０】
【表１】
2016102851.tif 000004
【符号の説明】
【００６１】
ＩＰ  像面、ＳＰ  開口絞り、ｃｅｍ  接合面、ＤＯＥ  回折光学素子、
Ｓ  サジタル像面、Ｍ  メリディオナル像面、ｄ線  ｄ線波長、ｇ線  ｇ線波長、
１０００ｎｍ  １０００ｎｍの波長
【図１】
2016102851.tif 000005
【図２】
2016102851.tif 000006
【図３】
2016102851.tif 000007
【図４】
2016102851.tif 000008
【図５】
2016102851.tif 000009
【図６】
2016102851.tif 000010